(57)【要約】【課題】地板に設けられた長孔から磨耗粉が羽根室内に進入しないようにするとともに、地板の羽根室とは反対側の面の小型化に適したカメラ用フォーカルプレンシャッタを提供する。【解決手段】地板１に設けられている長孔１ｂ，１ｃには、その縁から羽根室側の面に突き出すようにして壁部１ｊ，１ｋが形成されている。また、後羽根用アーム１４，１５には、先端部側の方が回転中心側よりも地板１側に存在するように階段状に折り曲げられた折曲部１４ｂ，１５ａが形成されている。後羽根の作動時には、折曲部１４ｂ，１５ａがあることにより、地板１の壁部１ｋと後羽根用アーム１４，１５とが僅かな間隔を保つので、地板の羽根室とは反対側の面のレイアウトの自由度を損ねることがなく小型化が可能となり、更に、羽根室内への磨耗粉の進入を好適に抑制できる。【選択図】図１
2014209174.tif 000002
【特許請求の範囲】
【請求項１】
被写体光路用の開口部を有していて該開口部の傍らに円弧状をした少なくとも一つの長孔を有していると共に他の板部材との間に羽根室を構成する地板と、前記地板に枢着されている複数のアームと該アームの各々に枢支された少なくとも１枚の羽根とで構成されている少なくとも一つの遮光羽根と、駆動ピンを有していて羽根室外において前記地板に回転可能に取り付けられており該駆動ピンを前記長孔に貫通させて前記アームの一つに連結させている駆動部材と、を備えていて、前記地板には、前記羽根室内において前記長孔の周囲の少なくとも一部に沿って壁部が設けられていることを特徴とするカメラ用フォーカルプレンシャッタ。
【請求項２】
前記少なくとも一つの遮光羽根のうち最も前記地板側に配置されている遮光羽根の前記複数のアームには、その先端部側がその回転中心側よりも前記地板側に存在するように階段状に折り曲げられた折曲部を有していることを特徴とする請求項１に記載のカメラ用フォーカルプレンシャッタ。
【請求項３】
前記地板の羽根室側の面には、前記壁部の設けられている長孔の近傍に、前記壁部よりも前記地板から突き出すようにして、前記遮光羽根の複数のアームのうちの少なくとも一つの作動軌跡に沿ってレールが設けられていることを特徴とする請求項１又は２に記載のカメラ用フォーカルプレンシャッタ。
【請求項４】
請求項１〜３のいずれかに記載のカメラ用フォーカルプレンシャッタを備えていることを特徴とするカメラ。
【発明の詳細な説明】
【技術分野】
【０００１】
本発明は、遮光羽根が、地板に枢着された複数のアームと、それらのアームの夫々に枢支された１枚以上の羽根で構成されているカメラ用フォーカルプレンシャッタに関する。
【背景技術】
【０００２】
カメラ用フォーカルプレンシャッタの遮光羽根は、地板に枢着された複数のアームと、それらのアームの夫々に枢支された１枚以上の羽根とで構成されており、アームが所定の角度範囲で往復回転させられると、羽根が、撮像面を覆う位置と、撮像面の前面から退避した位置との間を作動するようになっている。また、そのように構成された遮光羽根は、地板に取り付けられていて所定の角度だけ往復回転する駆動部材に連動して作動させられるようになっているが、その駆動部材は地板の羽根室外の面に取り付けられているため、地板には貫通孔が形成されていて、駆動部材に設けられた駆動ピンがその貫通孔に挿入され、羽根室内で上記のアームの一つに連結されている。そして、その貫通孔は、駆動ピンが駆動部材の回転軸を中心にして往復作動することから、略円弧状をした長孔として形成されている。
【０００３】
ところで、地板の羽根室外の面には、上記の駆動部材のほかにも各種の構成部材が多く取り付けられているが、それらの殆どは、比較的上記の長孔の近傍位置にある。また、それらの部材は、作動時において作動する部材であったり、それらの作動部材と摺接したり当接されたりする部材であり、長孔の付近ではシャッタの作動時に、それらの摺接や当接によって、微細な磨耗粉が発生することもある。
【０００４】
磨耗粉やその他の微細なゴミなどは、長孔から羽根室内に進入し、フィルム面や撮像素子面などに付着することも起こるようになる。そのため、磨耗粉などが撮像素子の表面に付着しにくくなるようにする技術として、特許文献１に記載の技術が提案されている。
【０００５】
特許文献１に記載のカメラ用フォーカルプレンシャッタは、地板１に円弧状の長孔１ｂ，１ｃが設けられている。そして、その長孔１ｂ，１ｃの縁には、壁１ｆ，１ｇが羽根室とは反対側の面に突き出すように形成されている。また、壁１ｆ，１ｇの外側には溝１ｈ，１ｉが形成されていて、その溝１ｈ，１ｉの底面には粘着シート７，８が貼付されている。このような構成により、磨耗粉が長孔から羽根室内に進入することを防止している。なお、上記の各符号は、特許文献１において用いられているものである。
【先行技術文献】
【特許文献】
【０００６】
【特許文献１】特開２００３−２７０７００号公報
【発明の概要】
【発明が解決しようとする課題】
【０００７】
特許文献１に記載のカメラ用フォーカルプレンシャッタは、壁１ｆ，１ｇが羽根室とは反対側の面に突き出すように形成されている。そのため、駆動部材等が作動する際に壁１ｆ，１ｇに衝突しないような形状としなければならず、小型化が難しかった。
【０００８】
本発明は、このような問題点を解決するためになされたものであり、その目的とするところは、羽根室内に配置されている少なくとも一つの遮光羽根と羽根室外に配置されていて該遮光羽根を駆動させる駆動部材を備えたカメラ用フォーカルプレンシャッタにおいて、地板に設けられた長孔から磨耗粉が羽根室内に進入しないようにするとともに、地板の羽根室とは反対側の面の小型化に適したカメラ用フォーカルプレンシャッタを提供することである。
【課題を解決するための手段】
【０００９】
上記の目的を達成するために、本発明のカメラ用フォーカルプレンシャッタは、被写体光路用の開口部を有していて該開口部の傍らに円弧状をした少なくとも一つの長孔を有していると共に他の板部材との間に羽根室を構成する地板と、前記地板に枢着されている複数のアームと該アームの各々に枢支された少なくとも１枚の羽根とで構成されている少なくとも一つの遮光羽根と、駆動ピンを有していて羽根室外において前記地板に回転可能に取り付けられており該駆動ピンを前記長孔に貫通させて前記アームの一つに連結させている駆動部材と、を備えていて、前記地板には、前記羽根室内において前記長孔の周囲の少なくとも一部に沿って壁部が設けられている。
【００１０】
その場合、前記少なくとも一つの遮光羽根のうち最も前記地板側に配置されている遮光羽根の前記複数のアームには、その先端部側がその回転中心側よりも前記地板側に存在するように階段状に折り曲げられた折曲部を有していると、羽根室内への磨耗粉の進入をより好適に抑制することができる。
更に、前記地板の羽根室側の面には、前記壁部の設けられている長孔の近傍に、前記壁部よりも前記地板から突き出すようにして、前記遮光羽根の複数のアームのうちの少なくとも一つの作動軌跡に沿ってレールが設けられているようにすると、シャッタのセット作動時においてアームを安定して作動させることができる。
また、本発明のカメラは、種々の構成をしている前記カメラ用フォーカルプレンシャッタの一つを備えているようにする。
【発明の効果】
【００１１】
本発明によれば、地板に設けられた長孔から磨耗粉が羽根室内に進入しないようにするとともに、羽根室とは反対側の面の小型化に適したカメラ用フォーカルプレンシャッタを得ることができる。
【図面の簡単な説明】
【００１２】
【図１】本発明の実施例１を被写体側から視たときの左側の約半分を示した平面図であって、セット状態を示したものである。
【図２】本発明の実施例１の先羽根及び後羽根の羽根室内に配置されている各部材を模式的に示した要部断面図である。
【図３】本発明の実施例１を図１と同様に示した平面図であって、露光作動の途中を示したものである。
【図４】本発明の実施例１を図１と同様に示した平面図であって、露光作動終了直後の状態を示したものである。
【図５】本発明の実施例２を図１と同様に示した平面図であって、セット状態を示したものである。
【図６】本発明の実施例２のレールを模式的に示した斜視図である。
【図７】本発明の実施例２の先羽根及び後羽根の羽根室内に配置されている各部材を模式的に示した要部断面図である。
【図８】本発明の実施例２を図１と同様に示した平面図であって、露光作動終了直後の状態を示したものである。
【発明を実施するための形態】
【００１３】
本発明を実施するための形態を、図面を用いて詳細に説明する。図１〜図４は、本発明の実施例１の図であり、図５〜図８は、本発明の実施例２の図である。なお、図１，３，４，５，６は、本発明のフォーカルプレンシャッタをカメラに組み込んだ状態において、被写体側から視たときの左側の約半分、駆動部側を示した平面図である。また、図２，７は、本発明のフォーカルプレンシャッタの羽根室内に配置されている各部材の位置関係を模式的に示した図である。また、図８は、本発明の実施例２のフォーカルプレンシャッタのレールを模式的に示した斜視図である。以下の説明では地板の被写体側のことを表面側といい、撮像素子側のことを背面側という。
【実施例１】
【００１４】
図１〜図４を用いて、実施例１を説明する。まず、図１，２を用いて、本実施例の構成の説明をする。図１において、地板１には、長方形の開口部１ａが形成されている。しかし、上記のように、図１はシャッタを被写体側から視て左側の駆動部のある約半分だけを示したものであるから、その開口部１ａについても同様である。また、図２に示すように、地板１の背面側には、所定の間隔を空けて、適宜な手段によって、中間板２と補助地板３が順に取り付けられており、地板１と中間板２との間に後羽根の羽根室を構成し、中間板２と補助地板３との間に先羽根の羽根室を構成している。そして、中間板２と補助地板３にも、開口部１ａと類似の形状をした図示していない開口部が形成されている。なお、この中間板２と補助地板３については、図２以外では図示を省略している。そして、撮像素子は、補助地板３よりも更に背面側において、図示していないカメラ本体に取り付けられている。
【００１５】
図１において、開口部１ａの左側には、円弧状の二つの長孔１ｂ，１ｃが貫通孔として形成されており、それらの下方端には、平面形状がＣ字状をした周知のブチルゴム製の緩衝部材４，５が取り付けられている。地板１の表面側には、軸１ｄ，１ｅが立設され、背面側には軸１ｆ，１ｇ，１ｈ，１ｉが立設されている。そして、それらのうち、軸１ｄと軸１ｆ、及び軸１ｅと軸１ｈとは同心となるように配置されている。更に、周知であるため図示していないが、開口部１ａの左側の領域において、地板１の表面側に複数の軸が立設されており、それらの先端には、支持板と印刷配線板が、支持板を地板１側にして重合され、地板１と平行になるようにして取り付けられている。そして、支持板の地板１側には、周知の先羽根用電磁石と後羽根用電磁石とが取り付けられていて、それぞれの電磁石は鉄心を有しているが、各図面上においては、それらの図示を省略している。
【００１６】
地板１の軸１ｄには、先羽根用駆動部材６が回転可能に取り付けられている。この先羽根用駆動部材６は、背面側に駆動ピン６ａを有していて、図示していない先羽根用駆動ばねによって図１において時計方向へ回転するように付勢されている。この駆動ピン６ａは、長孔１ｂを貫通し、先羽根の羽根室内に挿入されている。また、先羽根用駆動部材６は、表面側に図示していない鉄片部材を取り付けており、セット状態において、先羽根用電磁石の鉄心と鉄片部材を接触させるようになっている。
【００１７】
地板１の軸１ｅには、後羽根用駆動部材７が回転可能に取り付けられている。この後羽根用駆動部材７は、背面側に駆動ピン７ａを有していて、図示していない後羽根用駆動ばねによって図１において時計方向へ回転するように付勢されている。この駆動ピン７ａは、長孔１ｃを貫通し、後羽根の羽根室内に挿入されている。また、後羽根用駆動部材７は、表面側に図示していない鉄片部材を取り付けており、セット状態において、後羽根用電磁石の鉄心と鉄片部材を接触させるようになっている。
【００１８】
この他、地板１の表面側には、図示していないセット部材が取り付けられていて、セット作動時に先羽根用駆動部材及び後羽根用駆動部材を回転させるが、その構成は周知であるため、説明を省略する。
【００１９】
次に、図１，２を用いて、地板１の背面側の構成を説明する。図１に示されているように、地板１の背面側には、長孔１ｂ，１ｃの縁から背面側に突き出すようにして、それぞれ壁部１ｊ，１ｋが形成されている。この壁部１ｊ，１ｋは、長孔１ｂ，１ｃの縁に沿って形成されていて、緩衝部材４，５を取り付けている長孔１ｂ，１ｃの下端部以外の全周に形成されている。なお、この壁部１ｊ，１ｋは、図１においては本来見えないが、理解しやすくするためにハッチングで図示している。
【００２０】
地板１の背面側に立設されている軸１ｆ，１ｇには、先羽根用アーム８，９が回転可能に取り付けられている。そして、先羽根用アーム８，９には、羽根部材１０，１１，１２，１３が周知の鋲部材によって取り付けられていて、先羽根を構成している。このうち、最も先羽根用アーム８，９の先端側に取り付けられている羽根部材１３が先羽根のスリット形成羽根である。この先羽根は、上記のように中間板２と補助地板３との間に構成されている先羽根の羽根室内に配置されている。この先羽根用アーム８には、孔８ａが形成されていて、孔８ａには先羽根用駆動部材６の駆動ピン６ａが挿入されている。なお、先羽根用アーム８，９は、後述する後羽根用アーム１４，１５とは異なり、折曲部は形成されておらず、平坦に形成されている。
【００２１】
地板１の背面側に立設されている軸１ｈ，１ｉには、後羽根用アーム１４，１５が回転可能に取り付けられている。そして、後羽根用アーム１４，１５には、羽根部材１６，１７，１８，１９が周知の鋲部材によって取り付けられていて、後羽根を構成している。このうち、最も後羽根用アーム１４，１５の先端側に取り付けられている羽根部材１９が後羽根のスリット形成羽根である。この後羽根は、上記のように地板１と中間板２との間に構成されている後羽根の羽根室内に配置されている。この後羽根用アーム１４には、孔１４ａ及び折曲部１４ｂが形成されていて、孔１４ａには後羽根用駆動部材７の駆動ピン７ａが挿入されている。また、後羽根用アーム１５にも、後羽根用アーム１４と同様にして、折曲部１５ａが形成されている。
【００２２】
ここで、図２を用いて、地板１の背面側に突き出した壁部１ｊ，１ｋと先羽根及び後羽根の位置関係を説明する。図２は、先羽根及び後羽根の羽根室内に配置されている各部材を模式的に示した要部断面図であり、図１，３，４の平面図のうち特定の箇所を破断したものではない。上記のように、中間板２と補助地板３との間に構成されている羽根室内には先羽根が配置されており、地板１と中間板２との間に構成されている羽根室内には後羽根が配置されている。なお、図２における先羽根は、本来は見えないが、後羽根との形状の比較のために一点鎖線で示している。図２に示されているように、地板１の壁部１ｋは、後羽根の羽根室内に突き出すように形成されているが、その壁部１ｋの突き出している高さと、折曲部１４ｂにより形成されている段差と鋲部材の頭部との合計の高さが、略一致している。また、図２には図示されていないが、後羽根用アーム１５の折曲部１５ａも、後羽根用アーム１４の折曲部１４ｂと同様に、その段差と鋲部材の頭部との合計の高さが壁部１ｋの突き出している高さと略一致するように形成されている。そのため、後羽根用アーム１４，１５と壁部１ｋとは、後羽根の作動時においても常に僅かな間隔が保たれる。なお、上記のように、先羽根用８には折曲部は形成されておらず、平坦に形成されている。
【００２３】
次に、本実施例の作動を図１，３，４を用いて説明する。図１は、露光作動開始直前の状態を示したものである。即ち、カメラのレリーズボタンが押され、図示していない先羽根用電磁石と後羽根用電磁石に通電されることによって、それぞれの電磁石の鉄心が各駆動部材６，７の鉄片部材を吸着保持した後に、図示していないセット部材が初期位置へ復帰した状態である。このとき、先羽根の４枚の羽根部材１０，１１，１２，１３は、隣接する羽根同士の重なりを最小にした展開状態となって開口部１ａを閉鎖しており、後羽根の４枚の羽根部材１６，１７，１８，１９は、隣接する羽根同士の重なりを最大にした重畳状態となって開口部１ａの上方領域に格納されている。
【００２４】
このような図１の状態になった後、最初に先羽根用電磁石に対する通電が断たれ、所定時間後には後羽根用電磁石に対する通電が断たれる。そこで、まず、先羽根用電磁石に対する通電が断たれると、先羽根用駆動部材６の鉄片部材に対する吸引力が失われ、先羽根用駆動部材６が、図示していない先羽根用駆動ばねの付勢力によって時計方向へ急速に回転させられる。そのため、駆動ピン６ａによって先羽根用アーム８が時計方向へ回転させられるので、先羽根の４枚の羽根部材１０，１１，１２，１３は隣接する羽根同士の重なり量を大きくしつつ下方へ移動させられ、スリット形成羽根１３の上端縁によって開口部１ａを開放していく。
【００２５】
次に、後羽根用電磁石に対する通電が断たれて後羽根用駆動部材７の鉄片部材に対する吸引力が失われると、後羽根用駆動部材７は、図示していない後羽根用駆動ばねの付勢力によって時計方向へ急速に回転させられる。それによって、駆動ピン７ａが後羽根用アーム１４を時計方向へ回転させるので、後羽根の４枚の羽根部材１６，１７，１８，１９は、隣接する羽根同士の重なり量を小さくしつつ下方へ移動し、スリット形成羽根１９の下端縁によって開口部１ａを閉じていく。従って、以後は、二つのスリット形成羽根１３，１９の間に形成したスリットにより、撮像素子に対する露光が行われていく。このようにして、露光作動が行われている途中の状態を図３に示す。
【００２６】
そして、露光作動の最終段階になると、先羽根用駆動部材６は、駆動ピン６ａを緩衝部材４に当接させて停止する。その結果、先羽根の４枚の羽根部材１０，１１，１２，１３は、開口部１ａの下方領域に重畳状態となって格納される。他方、後羽根用駆動部材７も、駆動ピン７ａを緩衝部材５に当接させて停止する。その結果、後羽根の４枚の羽根部材１６，１７，１８，１９は、開口部１ａを完全に閉鎖した状態で静止する。このようにして、露光作動が終了した状態を図４に示す。
【００２７】
上記のようにして露光作動が終了すると、図示していないセット部材によりセット作動が行われる。図示していないセット部材が回転させられると、まずセット部材が先羽根用駆動部材６を押し、先羽根用駆動部材６は先羽根用駆動ばねの付勢力に抗して反時計方向へ回転させられる。そのため、先羽根用アーム８は駆動ピン６ａにより反時計方向へ回転させられ、先羽根の４枚の羽根部材１０，１１，１２，１３は、相互の重なりを小さくしながら上方へ移動していく。
【００２８】
このようにして、先羽根のスリット形成羽根１３が後羽根のスリット形成羽根１９に所定量だけ重なると、その段階からは、セット部材が後羽根用駆動部材７を押し、後羽根用駆動部材７は後羽根用駆動ばねの付勢力に抗して反時計方向へ回転させられる。そのため、後羽根用アーム１０は駆動ピン７ａにより反時計方向へ回転させられ、後羽根の４枚の羽根部材１６，１７，１８，１９は、相互の重なりを大きくしながら上方へ移動していく。
【００２９】
そして、先羽根用駆動部材６と後羽根用駆動部材７は、各々の駆動ばねの付勢力に抗して反時計方向へ回転させられていくが、セット部材の回転は、後羽根の４枚の羽根部材１６，１７，１８，１９が重畳されて開口部１ａの上方位置へ格納されると共に、先羽根の４枚の羽根部材１０，１１，１２，１３が展開されて開口部１ａを完全に覆い、各々の駆動部材６，７の鉄片部材が、先羽根用電磁石と後羽根用電磁石の鉄心に確実に接触した段階で、停止させられる。このようにして、セット作動が終了し、図１に示された状態に戻る。
【００３０】
本実施例においては、壁部１ｊ，１ｋが地板１の背面側に突き出すように形成されていて、地板１の表面側には突き出していないため、地板１の表面側に取り付けられている部材と干渉することを考慮する必要がない。そのため、レイアウトの自由度を損ねることがなく小型化が可能となり、更に、磨耗粉が羽根室内に進入することを大幅に抑制できる。また、地板１と中間板２との間に構成されている後羽根の羽根室内に配置されている後羽根用アーム１４，１５には、その回転中心側よりもその先端部側の方が地板１側になるようにして、階段状の折曲部１４ｂ，１５ａが形成されている。そのため、上記のように、後羽根用アーム１４，１５は、その作動の際に、壁部１ｋと僅かな間隔を保ったまま作動することができる。従って、開口部１ｃに進入した磨耗粉があったとしても、後羽根用アーム１４，１５がそれらの磨耗粉を遮り、羽根室内に磨耗粉が進入することをより好適且つ大幅に抑制できる。
【実施例２】
【００３１】
次に、図５〜８を用いて、実施例２の説明をする。まず、図５〜７を用いて、本実施例の構成を説明するが、本実施例は、実施例１における地板１にレールを設け、後羽根用アーム１５が安定して作動するようにしたものである。そのため、実施例１で説明した箇所については、説明を省略し、本実施例の説明は簡単に行うことにする。
【００３２】
図５において、地板１の背面側には、長孔１ｂと長孔１ｃとの間に、後羽根用アーム１５の作動軌跡に沿うようにして、レール１ｍが形成されている。このレール１ｍは、図６に示すように、テーパー状に形成されている端部１ｍ−１と、水平に形成されている中央部１ｍ−２からなっている。そして、レール１ｍの中央部の１ｍ−２は、長孔１ｃの縁に形成されている壁部１ｋよりも高く形成されている。換言すれば、レール１ｍの中央部１ｍ−２は、壁部１ｋよりも更に地板１の背面側に突き出すように形成されている。このレール１ｍと壁部１ｋとの位置関係を、図７に示す。図７は、各部材の位置関係を模式的に示した要部断面図であり、図５，８の平面図のうち特定の箇所を破断したものではない。
【００３３】
次に、本実施例の作動を図５，８を用いて説明する。図５は、露光作動開始直前の状態を示したものである。このとき、先羽根の４枚の羽根部材１０，１１，１２，１３は、隣接する羽根同士の重なりを最小にした展開状態となって開口部１ａを閉鎖しており、後羽根の４枚の羽根部材１６，１７，１８，１９は、隣接する羽根同士の重なりを最大にした重畳状態となって開口部１ａの上方領域に格納されている。
【００３４】
そして、露光作動を開始すると、先羽根用電磁石に対する通電が断たれ、先羽根用駆動部材６が、図示していない先羽根用駆動ばねの付勢力によって時計方向へ急速に回転させられる。そのため、駆動ピン６ａによって先羽根用アーム８が時計方向へ回転させられるので、先羽根の４枚の羽根部材１０，１１，１２，１３は隣接する羽根同士の重なり量を大きくしつつ下方へ移動させられ、スリット形成羽根１３の上端縁によって開口部１ａを開放していく。そして、所定時間後に、後羽根用電磁石に対する通電が断たれ、後羽根用駆動部材７が、図示していない後羽根用駆動ばねの付勢力によって時計方向へ急速に回転させられる。そのため、駆動ピン７ａによって後羽根用アーム１４を時計方向へ回転させられるので、後羽根の４枚の羽根部材１６，１７，１８，１９は隣接する羽根同士の重なり量を小さくしつつ下方へ移動させられ、スリット形成羽根１９の下端縁によって開口部１ａを閉じていく。
【００３５】
このとき、後羽根用アーム１５は、露光作動の途中から、レール１ｍと接触していく。その際に、レール１ｍは、その端部１ｍ−１がテーパー状に形成されているため、後羽根用アーム１５は端部１ｍ−１にガイドされながら中央部１ｍ−２に接触していく。そのため、後羽根用アーム１５は、露光作動中にレール１ｍと接触しても安定した作動を保ち続ける。
【００３６】
そして、露光作動の最終段階になると、先羽根用駆動部材６は、駆動ピン６ａを緩衝部材４に当接させて停止し、後羽根用駆動部材７も、駆動ピン７ａを緩衝部材５に当接させて停止する。このようにして、露光作動が終了した状態を、図８に示す。このとき、後羽根用アーム１５は、レール１ｍの中央部１ｍ−２と接触した状態である。
【００３７】
そして、露光作動が終了すると、図示していないセット部材によりセット作動が行われる。図示していないセット部材が回転させられると、まずセット部材が先羽根用駆動部材６を押し、先羽根用駆動部材６は先羽根用駆動ばねの付勢力に抗して反時計方向へ回転させられる。そのため、先羽根用アーム８は駆動ピン６ａにより反時計方向へ回転させられ、先羽根の４枚の羽根部材１０，１１，１２，１３は、相互の重なりを小さくしながら上方へ移動していく。
【００３８】
このようにして、先羽根のスリット形成羽根１３が後羽根のスリット形成羽根１９に所定量だけ重なると、その段階からは、セット部材が後羽根用駆動部材７を押し、後羽根用駆動部材７は後羽根用駆動ばねの付勢力に抗して反時計方向へ回転させられる。そのため、後羽根用アーム１０は駆動ピン７ａにより反時計方向へ回転させられ、後羽根の４枚の羽根部材１６，１７，１８，１９は、相互の重なりを大きくしながら上方へ移動していく。
【００３９】
このとき、後羽根用アーム１５は、セット作動の途中から、レール１ｍの中央部１ｍ−２から離れていく。そして、後羽根用アーム１５がレール１ｍの中央部１ｍ−２から完全に離れる前に、後羽根用アーム１５は、長孔１ｃを覆っていく。このとき、上記のように、レール１ｍの中央部の１ｍ−２は、長孔１ｃの縁に形成されている壁部１ｋよりも高く形成されているので、その一部をレール１ｍの中央部の１ｍ−２に接触させている後羽根用アーム１５は、図５，８中において長孔１ｃの縁に形成されている壁部１ｋの下端の段差になっている箇所と接触することはない。そのため、後羽根用アーム１５は、セット作動中も安定した作動を保ち続ける。
【００４０】
そして、後羽根の４枚の羽根部材１６，１７，１８，１９が重畳されて開口部１ａの上方位置へ格納されると共に、先羽根の４枚の羽根部材１０，１１，１２，１３が展開されて開口部１ａを完全に覆い、各々の駆動部材６，７の鉄片部材が、先羽根用電磁石と後羽根用電磁石の鉄心に確実に接触した段階になると、セット部材の回転が停止する。このようにして、セット作動が終了し、図５に示された状態に戻る。
【００４１】
本実施例においては、実施例１と同様に、壁部１ｊ，１ｋが地板１の背面側に突き出すように形成されているため、レイアウトの自由度を損ねることがなくフォーカルプレンシャッタの小型化が可能となり、更に、磨耗粉が羽根室内に進入することを大幅に抑制できる。また、本実施例においては、壁部１ｋよりも高くレール１ｍを形成しているので、セット作動を行う際に、後羽根用アーム１５が壁部１ｋと衝突することなく、安定した作動を保つことが可能になる。
【００４２】
上記の各実施例におけるフォーカルプレンシャッタは、駆動部材などを取り付けた地板が被写体側となり補助地板が撮影者側となるようにして、カメラ内に取り付けられている場合で説明したが、本発明は、地板を撮影者側にして取り付けても差し支えない。
【００４３】
また、上記の各実施例は、先羽根及び後羽根の二つの遮光羽根を備えたフォーカルプレンシャッタであるが、本発明は、一つの遮光羽根を備えたフォーカルプレンシャッタとすることも可能である。その場合には、実施例における先羽根と、先羽根を開閉作動させるための関係部材を取り除くと、折曲部を有している後羽根用アーム１４，１５により、羽根室内に磨耗粉が進入することを好適に抑制できるようになる。しかし、反対に、実施例における後羽根と、後羽根を開閉作動させるための関係部材を取り除いて、折曲部を有さない平坦な先羽根用アーム８，９からなる先羽根だけを備えるようにしてもよい。
【００４４】
また、上記の各実施例においては、中間板２と補助地板３との間に構成されている羽根室内に平坦な先羽根用アーム８，９からなる先羽根が配置されており、地板１と中間板２との間に構成されている羽根室内に折曲部を有する後羽根用アーム１４，１５からなる後羽根が配置されている。しかし、中間板２と補助地板３との間に構成されている羽根室内に平坦なアームからなる後羽根を配置し、地板１と中間板２との間に構成されている羽根室内に地板１に向けて折曲部を形成したアームからなる先羽根を配置するようにしてもよい。
【００４５】
また、上記の各実施例は、先羽根と後羽根を作動させる二つの駆動部材が、各々鉄片部材を備えており、セット部材は、セット作動によって、各鉄片部材が励磁されていない二つの電磁石に各々接触した状態になるまで、駆動部材を回転させる構成をしたダイレクトタイプのフォーカルプレンシャッタに適用したものとして説明をした。しかし、これに限定されることなく、本発明は、各駆動部材が、セット位置で各々の係止部材によって係止されているようにした係止タイプのフォーカルプレンシャッタに適用することもできる。
【００４６】
更に、本発明は、駆動部材をセット位置まで作動させる駆動手段として、カメラ本体側の部材による場合や、フォーカルプレンシャッタに設けられた電磁駆動源による場合であっても適用できる。
【符号の説明】
【００４７】
１                                  地板
１ａ                                開口部
１ｂ，１ｃ                          長孔
１ｊ，１ｋ                          壁部
１ｍ                                レール
２                                  中間板
３                                  補助地板
４，５                              緩衝部材
６                                  先羽根用駆動部材
６ａ，７ａ                          駆動ピン
７                                  後羽根用駆動部材
８，９                              先羽根用アーム
１０，１１，１２，１３              羽根部材
１４，１５                          後羽根用アーム
１４ｂ，１５ａ                      折曲部
１６，１７，１８，１９              羽根部材
【図１】
2014209174.tif 000003
【図２】
2014209174.tif 000004
【図３】
2014209174.tif 000005
【図４】
2014209174.tif 000006
【図５】
2014209174.tif 000007
【図６】
2014209174.tif 000008
【図７】
2014209174.tif 000009
【図８】
2014209174.tif 000010